(57)【特許請求の範囲】
【請求項１】
以下のように構成したことを特徴とする階段。
(1) 階段状に踏板を配置し、踏板の階段幅方向の端面を、一端面及び他端面とする。
(2) 前記一端面を、縦方向に並列して配置したポールに連結し、前記他端面を縦方向に並列して配置したポール又は壁面に固定する。
(3) 前記１本のポールに、上階の踏板の端面の段鼻側と、下階の踏板の端面の蹴込み側を固定する。
(4) 前記ポール間に前記踏板の端面を臨ませ、前記踏板の端面と前記ポールとを踏板取付金具を介して固定する。
(5) 前記踏板取付金具は、前記踏板の幅方向の端縁部下面を支持できる水平方向の支持板と、階段進行方向の両端部に、前記踏板の端面に当接する固定板を連設して構成する。前記固定板の幅を前記ポールの外径以下とし、前記固定板を前記ポールに固定し、前記両固定板間に、取付予定の踏板の端面を臨むことができる開口を形成する。前記支持板と前記踏板下面とを固定する。
【請求項２】
階段状に配置した踏板の端面を、縦に配置したポールで固定する為の金具であって、以下のように構成したことを特徴とする階段用の踏板取付金具。
(1) 踏板の幅方向の端縁部下面を支持できる水平方向の支持板で、階段進行方向の両端部に、前記踏板の端面に当接する固定板を連設する。
(2) 前記固定板の幅を前記ポールの外径以下とし、前記固定板に前記ポールと固定する為の固定手段を形成する。
(3) 前記両固定板間に、取付予定の踏板の端面を臨むことができる開口を形成する。
(4) 前記支持板に踏板下面との取付手段を形成する。
【発明の詳細な説明】
【技術分野】
【０００１】
この発明は、主に室内階段で、ささら桁等の側板を無くして、踏板の少なくとも一側にポールを建てて、ポールに踏板を固定した階段、この階段に使用する階段用の踏板取付金具に関する。
【背景技術】
【０００２】
従来階段は、階段状に段々に配置した踏板の両端を、壁に固定して構成し（特許文献１）、あるいは斜めに架設したささら桁と称する側桁に挟んで構成していた（特許文献２）。このような階段では、住宅などの室内に設置した場合には、閉塞感があり、踏板のデザインに制約を与えていた。また、周り階段では、径２００ｍｍ程度のセンターポールに踏板を支えるための支持材を螺旋状に固定して構成していたが、ポールが大径で重く、センターポールを支えるために、床側に「つか」等補強材が必要であった。
【０００３】
そこで、踏板をより積極的に見せるために、側桁で踏板の下面を支える提案もなされている（特許文献３）。
【特許文献１】特開平６−２９４１９１
【特許文献２】特開平６−３２９１７
【特許文献３】特開２００７−１４６４９９
【発明の開示】
【発明が解決しようとする課題】
【０００４】
前記従来の階段では、踏板の下面を側桁で支える構造でも１つの側桁で踏板を支えて、安全な歩行を確保するためには、側桁の断面を大きなものにせざるを得ず、階段全体の重いイメージを払拭できなかった。また、側桁を支えるために上下階の床面で側桁の上下を受けるための梁などが必要となっていた。取り分け、リフォームで階段を増設する場合には、補強が煩雑となり、採用できなかった。
【課題を解決するための手段】
【０００５】
然るにこの発明は、ささら桁などの側桁を無くして、階段の端面を縦に配置したポールに固定したので、前記問題点を解決した。
【０００６】
即ちこの発明は、以下のように構成したことを特徴とする階段である。
(1) 階段状に踏板を配置し、踏板の階段幅方向の端面を、一端面及び他端面とする。
(2) 前記一端面を、縦方向に並列して配置したポールに連結し、前記他端面を縦方向に並列して配置したポール又は壁面に固定する。
(3) 前記１本のポールに、上階の踏板の端面の段鼻側と、下階の踏板の端面の蹴込み側を固定する。
(4) 前記ポール間に前記踏板の端面を臨ませ、前記踏板の端面と前記ポールとを踏板取付金具を介して固定する。
(5) 前記踏板取付金具は、前記踏板の幅方向の端縁部下面を支持できる水平方向の支持板と、階段進行方向の両端部に、前記踏板の端面に当接する固定板を連設して構成する。前記固定板の幅を前記ポールの外径以下とし、前記固定板を前記ポールに固定し、前記両固定板間に、取付予定の踏板の端面を臨むことができる開口を形成する。 前記支持板と前記踏板下面とを固定する。
【０００８】
また、他の発明は、階段状に配置した踏板の端面を、縦に配置したポールで固定する為の金具であって、以下のように構成したことを特徴とする階段用の踏板取付金具である。
(1) 踏板の幅方向の端縁部下面を支持できる水平方向の支持板で、階段進行方向の両端部に、前記踏板の端面に当接する固定板を連設する。
(2) 前記固定板の幅を前記ポールの外径以下とし、前記固定板に前記ポールと固定する為の固定手段を形成する。
(3) 前記両固定板間に、取付予定の踏板の端面を臨むことができる開口を形成する。
(4) 前記支持板に踏板下面との取付手段を形成する。
【０００９】
前記におけるポールは、主に丸パイプ（中空材料）であるが、角パイプ、丸棒（中実材料）、角棒など同等の断面構造の材料を使用することもできる。
【００１０】
また、前記における「目視されない」は物理的に隠れて見えない場合や、位置関係により見えにくい場合を含む。
【発明の効果】
【００１１】
この発明の階段では、踏板の一端面をポール、他端面を壁又はポールで固定したので、側桁を不要とし、ポール側、ポールの間から踏板の端面を臨むことができるので、踏板の特徴を表した階段のデザインの幅を広げることができる。また、側桁を使用せずに、ポールで支持するので、使用する部材の重量が極めて軽く、組み立て用の足場も不要とし、作業効率・安全性を高め、１人の作業でも組立を可能とする効果がある。
【００１２】
また、ポールで踏板の一端面又は他端面を支持するので、重い側桁（６０〜８０ｋｇ程度）を不要にできる。例えば、階段幅や踏板の材質や構造にもよるが、１本のポールが負担する荷重は６ｋｇ程度となり、１本のポールと床が負担する荷重を分散できる。従って、ポールの下面での補強を不要にし、階段の構築作業を簡略化できる。従って、とりわけリフォームで階段を新たに構築する場合には、有効である。
【００１３】
また、ポール床受け具を使用した場合には、現場でのポールの芯出しを不要とし。さらにポールの並列作業を簡略化し、階段組立作業を効率化できる。
【発明を実施するための最良の形態】
【００１４】
（１）  この発明の実施に使用する踏板２２は、階段幅Ｗ０で、階段幅Ｗ０方向の端面２４、２４ａを有する。また踏みづら寸法方向（階段の進行方向）の両側を夫々段鼻側２５、蹴込み側２５ａとする。
【００１５】
（２）  この発明の取付金具１は、踏板２２の下面２３ａを支持できる略水平方向の支持板２に、踏板２２の端面２４又は端面２４ａに固定できる略垂直方向の固定板７、７を連設して構成する（図４）。支持板２は、階段２２の端面２４、２４ａ付近の下面の形状に応じて構成する。固定板７は幅Ｗ２で形成し、幅Ｗ２は取付予定のポール２８の外径Ｄ００と同等又はそれよりも小さく形成する（図４（ｂ）、図３（ａ））。また、一側の固定板７が段鼻側２５に対応し、他側の固定板７が蹴込み側２５ａに対応する。  
また、支持板２の縁３ａで、固定板７、固定板７の間を、長さＬ２だけ切り欠いて、切欠５を形成する（図４（ｃ）、図５（ｃ））。支持板２に、踏板２２の下面２３ａと固定する為の透孔６を形成し、固定板７に、取付用のビス孔１０、１０を形成する。
【００１６】
（３）  ベース板３２上にポール取付位置に応じて突起３３、３３を設けてポール床受け具３１を構成する（図８）。下階床３３で、踏板２２の端面２４、２４ａ位置に応じて、ポール床受け具３１、３１を固定して、突起３３、３３にポール２８、２８を取り付け、隣接するポール２８、２８間に取付金具１を順に固定する（図９（ａ））。この際、１つのポール２８に対して、上段側の取付金物１の固定板７（段鼻側）、下段側の取付金具１の固定板７（蹴込み側）が夫々固定される（図８）。また、この場合、予め全部又は一部のポール２８、２８に取付金具１、１を固定した状態で、ポール床受け具３１に取り付けることもできる。  
続いて、向かい合って配置された取付金具１、１間に、踏板２２を架設して、踏板２２の両端部の下面２３を夫々支持板２、２に固定する。この作業は、下段側から進めれば下段側で取り付けた踏板２２が作業を足場となって、作業が安全にできるが、任意位置又は各高さから同時に踏板２２の取り付け作業をすることができる。  
ポール８、２８の上端を振れ留め具４１で固定して、階段４０を構築する（図７）。この階段４０では、下段側を周り階段としてある。
【実施例１】
【００１７】
図面に基づきこの発明の取付金具１の実施例を説明する。
【００１８】
（１）  取付予定の階板２２の階段幅Ｗ０に応じた幅Ｗ１（奥行きＤ１）の長方形の支持板２を形成し、支持板２の幅Ｗ１の縁を縁３、縁３ａとする。縁３ａの一端側及び他端側に、支持板２と直角に、固定板７、７（幅Ｗ２、高さＨ１）を立設する。幅Ｗ２は、取付予定のポール２８の外径Ｄ００と同等又はそれよりも小さく形成する（図４（ｂ）、図３（ａ））。高さＨ１は使用する踏板２２の厚さｔ０と同一又はそれよりも小さく形成する（図４（ｂ）、図３（ｂ））。
【００１９】
また、支持板２の縁３ａで、固定板７、固定板７の間を、縁３側に長さＬ２だけ切り欠いて、切欠５を形成する（図４（ｃ）、図５（ｃ））。支持板２で、両端４、４付近（切欠５の固定板７、７側の端縁付近）に透孔６、６を形成する。切欠５は、固定板７の踏板側の側面９（即ち使用する踏板２２の端面２４）から距離Ｌ２で形成されている（図４（ｃ）、図３（ａ））。
【００２０】
また、固定板７は、ポール側（支持板２側）の面を面８とし、反対側の踏板側を面９とする。固定板７に、取付用のビス孔１０、１０を縦に２つ形成する。ビス孔１０は、踏板側の面９側にビス５１の頭部を収納する大径部１１を形成する。
【００２１】
以上のようにして、この発明の取付金具１を構成する（図４、図５）。固定板７、７間を開口１２とする。
【００２２】
（２）  取付金具１は、ポール２８用の取付金具であるが、壁用の取付金具１５は、支持板１６の縁に同じ幅の固定板１８を直角に連設した山形鋼と同様な形状であり、取付金具１のビス孔１０、透孔６と同じ位置に、夫々ビス孔１９、透孔１７を穿設する（図１、図２）。透孔１７は、取り付ける踏板２２の幅方向に長い長孔とする（図２）。
【実施例２】
【００２３】
次ぎに、前記取付金具１を使用した階段４０の構築について説明する。この実施例は、片側ポール、片側壁の場合で、下階床３５から上階床３８まで直線的に進行する階段４０を構築する場合について説明する。
【００２４】
使用する部材は、
・幅Ｗ０、蹴込み長さＤ０、厚さｔ０の木製の踏板２２
・外径Ｄ００の中空のポール２８
・取付金具１、１５
・ポール床受け具３１
である。
【００２５】
ここで、踏板２２は、取付金具１、１５の透孔６、１７に一致するように、予め取付穴（非貫通）２６、２６を空けてある（図１）。
【００２６】
また、ポール２８は、取付金具１、１５のビス孔１０、１９の位置に応じて、パイプナットを取り付けて、ねじ孔２９、２９を形成してあるので、取付金具１との固定に溶接を不要にできる（図１、図３）。尚、ねじ孔２９の形成はパイプナットによらず、直接に加工しあるいは他の方法によることもできる（図示していない）。また、緩み防止ができれば、ねじ孔２９に代えて、ピン孔とすることもできる（図示していない）。
【００２７】
また、ポール床受け具３１は、短冊状のベース板３２の上面３２ａに、ポール２８の並列間隔に応じて、ポール２８の中空側に嵌挿できる突起（ポール固定手段）３３、３３を形成してある（図８）。尚、ポール床受け金具３１は、１つベース板３２に１つの突起３３を形成した１つのポール用に構成することもできる（図示していない）。
【００２８】
（１）  ポール設置位置で、下階床３５にポール床受け具３１を固定する。この際、ポール床受け具３１は下階床３５に直接に固定しても良いが（図６）、ベース板３２を納める凹部３６を形成し、下階床３５面とポール床受け具３１のベース板３２上面３２ａとが面一になるようにすることもできる（図８）。この状態で、下階床３５面上には、ポール２８、２８の設置間隔に応じて突起３３、３３が並んだ構成となっている（図８）。
【００２９】
（２）  続いて、並べたポール２８、２８間に取付金具１、１を固定する（図８）。この際、ポール２９の側面に固定板７、７を当てて、固定板７のビス孔１０に大径部１１側からビス５１をポール２８のねじ孔２９に向かって打ち、固定板７をポール２８に固定する（図１、図３）。この際、ビスの頭部は大径部１１内に収容されるので、固定板７の面９にビス５１が突出することはない。また、並列したポール２８、２８の内、両端に位置するポール２８を除く中間位置のポール２８には、１本のポール２８に対して、上側の段の取付金具１の固定板７と下側の段の取付金具１の固定板７が夫々固定される。この状態で、各ポール２８、２８は、取付金具１、１を介して連結され、取り扱いが容易となる（図８）。  
次ぎに、取付金具１、１で連結されたポール２８、２８を、ポール床取付具３１に固定する（図８）。この際、ポール２８下端の中空部３０に、ポール床取付具３１の突起３３を差し込むだけで、容易に作業ができる。
【００３０】
尚、ポール２８、２８に取付金具１、１を固定する作業は、取付金具１、１の位置を予め墨出ししたポール２８、２８を１本づつポール床受け金具３１の突起３３に差し込んで、ポール２８、２８を並列して取り付けた後に、２本のポール２８、２８間に取付金具１、１を取り付けることもできる（図示していない）。
【００３１】
（３）  （１）（２）の工程の後に、または前に、または同時に、壁４４の踏板設置位置に応じて、壁４４に墨出しをして、壁４４に、取付金具１５、１５を固定する。この際、取付金具１５の固定板１８を壁４４に付け、ビス孔１９からビス（ねじ）５２を打ち込み固定する（図１、図２）。取付金具１と同様に、ビス（ねじ）５２の頭部は大径部２０に収容され、固定板１８の表面から突出しない。
【００３２】
（４）  以上の作業が完了した状態で、１つの踏板２２を取り付けるための取付金具１、１５が、向かい合って壁４４とポール２２側に夫々配置された状態になっている（図９（ａ））。
【００３３】
（５）  続いて、ポール２２側、壁４４側の取付家具１、１５の支持板２、１６上に、踏板２２の幅Ｗ０方向の両端２４、２４ａ側を載せる（図１、図９（ｂ））。この状態で、固定板７の面９は、踏板２２の端面２４が当接して塞がれる。この状態で、取付金具１、１５の透孔６、１７から（下方から上に向けて）ボルト４６を打ち込み、踏板２２を取付金具１、１５（支持板２、１６）に固定する（図９（ｃ））。従って、踏板２２を取り付けた後に、振動などによりビス５１が緩むおそれが無く、また、例えビスが緩んだ場合であっても塞がれているので、ビスが固定板７、１８から外れるおそれが無い。  
この際、下の段から踏板２２を取り付ければ、取り付けた踏板２２を作業足場として利用して、上段側の踏板２２、２２の取付作業ができる。また、踏板２２の取付作業は下の段からのみならず上の段からあるいは、中間の段から、更には複数の位置から同時に取付作業をすることもできる。
【００３４】
（６）  また、この際、両取付金具１、１５の固定板７、１８間の距離Ｌが、踏板２２の幅Ｗ０に比較して、長い場合には（図１（ｂ））、踏板２２の端面２４をポール２８側に寄せて、踏板２２の端面２４を固定板７、７に当接した状態で、踏板２２の端面２４ａと固定板１８との間に楔４８、４８を打ち込んで隙間を調節する（図２）。この際、壁４４側の取付金具１５の透孔１７を長孔に形成してあるので、支持板１６と踏板２２とが相対的に幅Ｗ０方向でずれた場合であっても、楔４８、４８の数と大きさを調節すれば、取付に支障は無い（図２（ｂ）（ｃ））。尚、楔４８を使用ｓれば、踏板２２の端面２４又は楔４８でビス５１、５２の頭を押すことになるので、ビス５１、５２の緩み防止に役立つ。
【００３５】
また、予め両取付金具１、１５の固定板７、１８間の距離Ｌを、踏板２２の幅Ｗ０と同等（同一又は若干大きい）に形成すれば、楔４８、４８や楔４８を隠すための仕上げ処理が不要となる。この場合であっても、踏板２２の端面２４、２４ａがビス５１、５２の頭部を保護するので、歩行の衝撃によっては、ビス５１、５２が緩みを防止できる。
【００３６】
（７）  以上のようにして、総ての踏板２２、２２の取付が完了して、下階床３５と上階床３８との間に階段４０を構築する（図６）。また、壁４４側の端縁は、楔４８、４８などを隠すように、適宜カバーなどで覆うこともできる（図示していない）。図６で、４１はポール２８、２８の上端を連結し、かつ壁４４に支持した振れ止め具である。また、４２は上階の腰壁、４３は天井である。
【００３７】
（８）  このように構築した階段４０では、ポール２８側で、ポール２８、２８間で、取付金具１の開口１２から踏板２２の端面２４が見え、かつ取付金具１は目視できないので、踏板２２の木目などの模様を生かした階段を構築できる（図１（ｃ））。ここで、切欠５を設けたので、端縁５ａは、踏板２２の端面２４からＬ２だけ奥に位置するので、目視できないに等しい。
【００３８】
また、構築作業において、作業者は、ポール２８又は連結したポール２８、２８、踏板２２の一枚ずつ、ポール床受け具３１等軽量な部材のみを使用し、順番に組み立てるだけで階段４０を構築できるので、少人数例えば１人であっても階段４０の構築作業を行うことができる。
【００３９】
（９）他の実施例
【００４０】
前記実施例において、壁４４側の取付金具１５を使用したが、壁４４側にも取付金具１を使用することもできる（図示していない）。
【００４１】
また、前記実施例において、踏板２２の一端２４ａを壁４４に取り付けたが、踏板２２の両端面２４、２４ａをポール２８、２８で固定する構造とすることもできる（図７参照）。この場合には、取付金具は、ポール用の取付金具１、１のみを使用する。踏板２２の端縁２４、２４ａで取付金具１は同一のものを使用するが、一方の取付金具１の透孔６を取付金具１５の透孔１７のような長孔とすることもできる（図示していない）。
【００４２】
また、前記実施例において、下階床３５から上階床３８まで直進する階段について説明したが、周り階段を組合せた構造、あるいは周り階段のみの構造の階段とすることもできる（図７参照）。この場合にも同様に、上下に位置する踏板２２、２２ａの間に配置したポール２８に踏板２２を固定する。従って、平面形状が長方形にはならない踏板２２ａの場合には応じ形状で、取付金具１の支持板２の形状を変え、また支持板２での固定板７、７の取付位置を応じて変える（図示していない）。  
この場合、一般的にはポール２８、２８の取付間隔を一定することが意匠上好ましいので、直向部分の踏板２２の間隔と同一の間隔で周り階段部分のポール２８、２８の間隔とする（図７）。従って、踏板２２ａ部分では、端面で少なくとも２箇所にポール２８、２８位置するように形成される。従って、踏板２２ａ用の取付金具１の構造も、踏板２２ａの平面形状に応じた支持板２、ポール２８の位置に応じて、固定板７、７を取り付けた構造とする（図示していない）。
【００４３】
また、前記実施例において、ポール床受け具３１で、ポール固定手段として、ポール２８の中空部に入る突起３３としたが、ポール２８を挿入できる筒体や凹部からポール固定手段を形成することもできる（図示していない）。
【００４４】
また、前記実施例において、取付金具１の切欠５を形成したので、端縁５ａが奥に位置して目視し難いが、踏板２２の下面に、取付金具１の支持板２を収容する凹部を形成することもできる（図示していない）。この場合、切欠５の端縁５ａは完全に隠れるので、目視できない。
【００４５】
また、前記実施例において、振れ止め具４１を使用したが、天井４３でポール２８、２８の上端を支持することもできる（図示していない）。また、ポール床受け具３１を使用せずに、直接下階の床３５にポール２８、２８の下端を固定することもできる（図示していない）。
【図面の簡単な説明】
【００４６】
【図１】この発明の階段を構成する１枚の踏板をポールと壁に取り付けた状態で、（ａ）は正面図、（ｂ）は平面図、（ｃ）は右側面図である。
【図２】壁側の取付を表した拡大図で（ａ）は一部拡大平面図、（ｂ）（ｃ）は一部縦断面図である。
【図３】ポール側の取付を表した拡大図で（ａ）は一部拡大平面図、（ｂ）は一部拡大正面図、（ｃ）は一部側面図である。
【図４】この発明の取付金具で（ａ）は正面図、（ｂ）は背面図、（ｃ）は平面図、（ｄ）は底面図である。
【図５】この発明の金具で（ａ）は右側面図、（ｂ）はＡ−Ａ断面図、（ｃ）はＢ−Ｂ断面図である。
【図６】ポールと壁で踏板を支えた直進階段で、（ａ）は側面図、（ｂ）は正面図である。
【図７】両側をポールで支えた一部周り階段で、（ａ）は平面図、（ｂ）は側面図である。
【図８】ポールと取付金具、ポール床受け具の取付を説明する拡大図である。
【図９】（ａ）〜（ｃ）は踏板の組立を説明する一部拡大縦断面図である。
【符号の説明】
【００４７】
１      取付金具（ポール用）（踏板取付金具）
２      取付金具の支持板
３、３ａ  支持板の縁
４      支持板の縁
５      支持板の切欠
６      支持板の透孔（踏板下面との取付手段）
７      取付金具の固定板
８      固定板の面（ポール側）
９      固定板の面（踏板側）
１０    固定板のビス孔
１１    固定板のビス孔の大径部
１５    取付金具（壁用）
１６    取付金具の支持板
１７    支持板の透孔（長孔）
１８    取付金具の固定板
１９    固定板のビス孔（固定手段）
２０    固定板のビス孔の大径部
２２    踏板
２３    踏板の上面
２３ａ  踏板の下面
２４    踏板の端面（ポール側）
２４ａ  踏板の端面（壁側）
２５    踏板の段鼻側
２５ａ  踏板の蹴込み側
２６    踏板の取付穴
２８    ポール
２９    ポールのねじ孔
３０    ポールの中空部
３１    ポール床受け具
３２    ポール床受け具のベース板
３２ａ  ベース板の上面
３３    ポール床受け具の突起（ポール固定手段）
３５    下部床
３６    下部床の凹部
３８    上部床
４０    階段
４１    振れ止め具
４２    腰壁
４４    壁
４６    ボルト
４８    楔
５１    ビス
５２    ビス（ねじ）
【図１】
0005270950.tif 000002
【図２】
0005270950.tif 000003
【図３】
0005270950.tif 000004
【図４】
0005270950.tif 000005
【図５】
0005270950.tif 000006
【図６】
0005270950.tif 000007
【図７】
0005270950.tif 000008
【図８】
0005270950.tif 000009
【図９】
0005270950.tif 000010